(57)【要約】【課題】軽量化を図るのに有効で取付性に優れた低コストの自動車用モールディングの提供を目的とする。【解決手段】相対的に硬質材料で成形した基材部から相対的に軟質材料で成形した軟質材部を延出させた自動車用のモールディングであって、車両側は長手方向に曲がり部を形成した取付部を有し、前記モールディングは基材部を前記車両側の取付部に沿って取り付けるものであり、前記基材部は断面形状の少なくとも一部を長手方向に沿った発泡構造部となっていることを特徴とする。【選択図】  図１
2016022828.tif 000002
【特許請求の範囲】
【請求項１】
相対的に硬質材料で成形した基材部から相対的に軟質材料で成形した軟質材部を延出させた自動車用のモールディングであって、
車両側は長手方向に曲がり部を形成した取付部を有し、前記モールディングは基材部を前記車両側の取付部に沿って取り付けるものであり、前記基材部は断面形状の少なくとも一部を長手方向に沿った発泡構造部となっていることを特徴とするモールディング。
【請求項２】
前記基材部は断面形状において曲げ方向外側が発泡構造部となっていることを特徴とする請求項１記載のモールディング。
【請求項３】
前記軟質材部も発泡構造部を有することを特徴とする請求項１又は２記載のモールディング。
【請求項４】
前記請求項１〜３のいずれかに記載のモールディングであって、
前記基材部は断面形状がベース部と当該ベース部から略逆Ｕ字形状に折り返した折返部を有し、
前記車両側の取付部はドアのアウタパネル又はインナパネルの開口上縁部に沿って有し、
前記モールディングのベース部と折返部とで車両側の取付部に挟着するものであることを特徴とするベルトラインモールディング。
【請求項５】
前記ベース部又は／及び折返部の開口端部側を発泡構造部としたことを特徴とする請求項４記載のベルトラインモールディング。
【請求項６】
ルーフモールディングであることを特徴とする請求項１〜３のいずれかに記載のモールディング。
【発明の詳細な説明】
【技術分野】
【０００１】
本発明は、自動車に取り付けられる各種モールディングに関する。
【背景技術】
【０００２】
自動車のドアのドアガラスの昇降又は窓ガラスを取り付けるためのアウタパネルの上縁部には、ウェザーストリップモールディングとしてのアウターベルトラインモールが取り付けられている。
また、ドアインナパネルの上縁部には、インナベルトラインモールディングが取り付けられている。
自動車のルーフ部には、主にデザイン上の外装材としてルーフモールディングが取り付けられている。
また、自動車の側面（ドア，車体）部には、プロテクターとしてのプロテクトモールディング等が取り付けられている。
この種のベルトラインモールディングは、ドアアウタパネル，ドアインナパネル等の開口上縁部に沿って取り付けられる。
ルーフモールディングは、ルーフの形状に沿って取付られる。
また、プロテクトモールディングは、ドア側面形状，車体側面形状に沿って取り付けられる。
自動車は、デザイン上や機能上の各種理由からモールディングの取付部も曲線形状又は曲面形状となる場合がある。
従って、モールディングの長手方向の形状も自動車（車両）側の取付部の曲げ形状に沿って曲げざるを得ない。
そこで、従来のモールディングにあっては、樹脂成形時にＳＵＳ等の金属材を芯材に用いて曲げ加工できるようにしたり、硬質樹脂の押出成形材にあっては成形後に加熱し、熱曲げ加工を行っていた。
ＳＵＳ材等の芯材を用いたモールディングにあっては軽量化が困難であり、金属の芯材を用いない硬質樹脂の場合には、熱曲げ加工工程を設けることによるコストアップとなる。
【０００３】
特許文献１には、車体に取り付けるための取付基部上部の主体部のくびれ部にスポンジ構成部又はノッチを形成したドリップウェザーストリップを開示する。
しかし、同公報に開示するスポンジ構成部は、シール部の変形を防止するためのものであって、自動車側の取付部の曲げ形状に沿って取り付けやすくしたものではない。
【先行技術文献】
【特許文献】
【０００４】
【特許文献１】特開平７−２７７０９６号公報
【発明の概要】
【発明が解決しようとする課題】
【０００５】
本発明は、軽量化を図るのに有効で取付性に優れた低コストの自動車用モールディングの提供を目的とする。
【課題を解決するための手段】
【０００６】
本発明に係るモールディングは、相対的に硬質材料で成形した基材部から相対的に軟質材料で成形した軟質材部を延出させた自動車用のモールディングであって、車両側は長手方向に曲がり部を形成した取付部を有し、前記モールディングは基材部を前記車両側の取付部に沿って取り付けるものであり、前記基材部は断面形状の少なくとも一部を長手方向に沿った発泡構造部となっていることを特徴とする。
このように、車両側の取付部に沿ってモールディングを取り付けるためのモールディングの基材部に長手方向に沿った発泡構造部を設けると、この発泡構造部は曲げやすく、車両側の曲がった取付部に追従するように曲げながら、この車両側の取付部に取り付けることができる。
【０００７】
基材部を発泡構造にする方法としては、基材部を形成する硬質樹脂材料に発泡剤を加えながら押出成形することで容易に得られる。
基材部を硬質樹脂材料で成形し、これと一体的に基材部とは相対的に軟質の樹脂材料を用いて軟質材部を成形する方法としては、公知の二色押出成形機，多色押出成形機を用いて、押出成形することができる。
硬質材料と軟質材料は、相対的に硬質，軟質であることをいう。
モールディングを車両側の取付部に取り付ける際に、所定の取付強度，取付剛性を確保するのにポリ塩化ビニル樹脂やポリオレフィン樹脂等の比較的硬質の樹脂材料が使用される。
これに対して軟質材部は、シールリップ等のシール性等を目的とし、エラストマーや軟質の樹脂材料で成形されている。
【０００８】
本発明において基材部に発泡構造を設けたのは、車両側の曲がった取付部に追従させるためであり、基材部全体を樹脂材料に発泡剤を加えて押出成形した発泡部にしてもよく、基材部は断面形状において曲げ方向外側が発泡構造部となっていてもよい。
このようにすると、曲げ方向外側が発泡構造により曲げやすくなる。
【０００９】
また、本発明においては、軟質材部にも発泡構造部を設けてもよく、このようにすると、さらに軽量化することができる。
【００１０】
本発明に係るモールディングは、ルーフモールディング等の自動車用の各種モールディングに適用できるが、例えば請求項１〜３のいずれかに記載のモールディングであって、前記基材部は断面形状がベース部と当該ベース部から略逆Ｕ字形状に折り返した折返部を有し、前記車両側の取付部はドアのアウタパネル又はインナパネルの開口上縁部に沿って有し、前記モールディングのベース部と折返部とで車両側の取付部に挟着するものであるベルトラインモールとすることもできる。
この場合に、ベルトラインモールのアウタパネル，インナパネルへの挟着力を確保しつつ、曲げ追従しやすいようにベース部又は／及び折返部の開口端部側を発泡構造部としてもよい。
【発明の効果】
【００１１】
本発明に係るモールディングにあっては、車両側に取り付けるための基材部の少なくとも一部を発泡構造としたことにより軽量化を図りつつ、車両側の取付部の曲げ形状に追従しやすく取付作業性に優れる。
【図面の簡単な説明】
【００１２】
【図１】本発明を適用したベルトラインモールの例を示す。本実施例は基材部全体を発泡構造部とした例である。
【図２】軟質材部も発泡構造部とした例を示す。
【図３】モールディングの断面重心よりも下側のベース部及び折返部のみを発泡構造部にした例を示す。
【図４】ベース部と折返部とのつなぎ部付近を残して開口側を発泡構造部とした例を示す。
【図５】自動車のリアドアのアウタパネルに取り付けたモールディング（ベルトラインモール）の例を示す。
【図６】本発明を適用したルーフモールディングの例を示す。
【発明を実施するための形態】
【００１３】
本発明に係るモールディングの例をベルトラインモールに適用した例で以下説明するが、本発明はベルトラインモールに限定されない。
本実施例におけるベルトラインモールとしてのモールディングは、図５に示すようにリアドアのアウタパネル２の窓開口上縁部に取り付けた例であり、アウタパネルの上縁部は、後部に比較的大きな上方への曲げ部を有し、モールディング１０も後方に向けて後端部１０ａが上方に向けて曲がり部を有する。
【００１４】
モールディング１０のアウタパネルへの取付断面構造を図１に示す。
アウタパネルは、窓開口部の上縁部にモールディング１０を取り付けるための車体の取付部１を形成してある。
車体の取付部１は、アウタパネルの上縁部１ａをアウタ側に折り曲げたアウタ表面部１ｂを形成した例になっている。
また、上縁部１ａの内側途中には、下方に向けて垂下させた係止部１ｃを有する。
この車体の取付部１は、図５に示したように上下方向の曲げ部を有する。
【００１５】
モールディング１０は、基材部１１と軟質部１２と意匠部１４とが一つの金型，ラインを用いて多色押出成形されている。
基材部１１は、ベース部１１ａの上端からつなぎ部１１ｂを介して下方に折り返した折返部１１ｃを形成した略逆Ｕ字形状になっている。
ベース部１１ａは、アウタパネルの内側に位置し、下端部にアウタパネル側の係止部１ｃに係止する爪状の引掛部１１ｄを有し、引掛部１１ｄとつなぎ部１１ｂとの間にアウタパネルの内側に当接する突起部１１ｅ，１１ｆを設けた例になっている。
一方、モールディング１０のアウタ側に位置する折返部１１ｃの外表面及び、つなぎ部１１ｂの外表面に意匠部１４を形成した例になっているとともに、折返部１１ｃの内側及び下端には軟質材からなる押圧リップ１２ｃと１２ｄを有する。
ベース部１１ａのインナ側には、図示を省略したドアガラスに向けて突設したシールリップ１２ａ，１２ｂを軟質材からなる軟質材部１２として有する。
シールリップ１２ａ，１２ｂの表面に、植毛１３ａ，１３ｂを値付けた例になっている。
【００１６】
図１は、基材部１１全体を硬質材料に発泡剤を加えつつ、押出成形した発泡構造部にした例である。
図３は、モールディング１０を車体の取付部１に沿って後部を上方に向けて曲げながら追従するように取り付ける際に、曲げ方向の外側になるベース部１１の下端部１１１ａと折返部１１ｃの下端部１１１ｃ付近のみを発砲構造部とした例である。
このようにモールディング１０の断面重心より下側（開口部側端部）は、曲げ中立軸より外側に位置するので発泡構造部とすると曲げやすく、基材部１１ｃの上部にて取付剛性を確保することができる。
図４は、つなぎ部１１ｂ付近のみを残し、ベース部１１ａと折返部１１ｃの多くを発泡部２１１ａ，２１１ｃとした例であり、さらに軽量化した例である。
ベルトラインモールにあっては、車体の取付部１をベース部１１ａと折返部１１ｃにて挟み込むことにより取り付けられるので、つなぎ部１１ｂは剛性確保のため発泡剤を加えなくてもよい。
【００１７】
図２は、シールリップ等の軟質材部も軟質材料に発泡剤を加えつつ、押出成形した発泡構造部１１２ａ，１１２ｂ，１１２ｃ，１１２ｄとした例であり、このようにするとさらに軽量化が可能となる。
【００１８】
本発明に係るモールディングは、樹脂材料に発泡剤を加えつつ、押出成形することで所定の取付強度を確保しつつ、曲げ追従させた曲げ取付構造にした点に特徴があり、ルーフモール，プロテクタモール等、各種モールディングに適用できる。
例えば、図６にルーフモールディング２０の例を示す。
自動車のルーフ部にルーフパネル３とサイドパネル４とのつなぎ部に凹部溝５を形成し、この部分にルーフモールディングを装着した例である。
ルーフは、車体の前後に沿って前部又は後部等が下方に向け傾斜している場合が多い。
この場合にも本発明に係るモールディングを用いると、取り付けのための凹部溝５の形状に沿って曲げられる。
ルーフモールディング２０を硬質材料からなる基材部２１を略Ｔ字状又は横Ｈ字状に形成し、シール性の軟質部２２を２色成形した例である。
表面には意匠部２４を形成してある。
この例では、硬質材料からなる基材部２１全体を発泡部とし、中心に芯材２３を内包した例になっている。
【符号の説明】
【００１９】
１        車体の取付部
１０      モールディング
１１      基材部
１２      軟質材部
１４      意匠部
２０      ルーフモールディング
２１      基材部
２２      軟質部
２４      意匠部
【図１】
2016022828.tif 000003
【図２】
2016022828.tif 000004
【図３】
2016022828.tif 000005
【図４】
2016022828.tif 000006
【図５】
2016022828.tif 000007
【図６】
2016022828.tif 000008